(57)【特許請求の範囲】
【請求項１】
給湯メインバーナと風呂メインバーナとが互いに間隔を介して配置され、該間隔に口火用のパイロットバーナが設けられており、該パイロットバーナに点火してそのパイロットバーナの炎によって前記給湯メインバーナと前記風呂メインバーナの少なくとも一方の炎口に着火してそのメインバーナ燃焼を行い、該メインバーナ燃焼の停止後も消火動作が行われるまでの間は前記パイロットバーナの燃焼は継続する燃焼装置であって、前記給湯メインバーナの上部側には該給湯メインバーナと間隔を介して給湯熱交換器が設けられ、前記風呂メインバーナの上部側には該風呂メインバーナと間隔を介して風呂熱交換器が設けられ、前記パイロットバーナは前記給湯メインバーナ側に設けられた炎口と、前記風呂メインバーナ側に設けられた炎口と、前記給湯メインバーナ側の炎口と前記風呂メインバーナ側の炎口との間に設けられた中央側の炎口とを有しており、前記パイロットバーナの上部側には該パイロットバーナと間隔を介し、該パイロットバーナの上部側を覆うガイドカバーが設けられ、該ガイドカバーは前記中央側の炎口と前記給湯メインバーナ側の炎口との間となる位置に下側が凸となる屈曲部を有して、該屈曲部の両側には該屈曲部から斜め上方に向い前記給湯熱交換器の下部側へ入り込む斜面壁と前記屈曲部から斜め上方に向い前記風呂熱交換器の下部側へ入り込む斜面壁とが形成され、前記パイロットバーナの前記給湯メインバーナ側の炎口から出る燃焼ガスは前記ガイドカバーの前記給湯熱交換器の下部側へ入り込む斜面壁にガイドされて前記給湯熱交換器の下部側へ導入され、前記パイロットバーナの前記風呂メインバーナ側の炎口と中央側の炎口とから出る燃焼ガスは前記風呂熱交換器の下部側へ入り込む斜面壁にガイドされて前記風呂熱交換器の下部側へ導入され、以って前記ガイドカバーによってパイロットバーナの中央側の高温の燃焼ガスが前記給湯熱交換器側に流れることを防いで前記風呂熱交換器の下端部側に向けて斜め上方側にガイドして導き、風呂熱交換器の排気部より前記パイロットバーナの前記風呂メインバーナ側の炎口と中央側の炎口とから出る燃焼ガスが共に排出されることにより前記パイロットバーナの中央側の炎口から出る燃焼ガスの熱によって前記給湯熱交換器の外周壁を形成する筒体の加熱が防止されていることを特徴とする燃焼装置。
【請求項２】
ガイドカバーは、その屈曲部が給湯熱交換器の下端部に位置されて、該屈曲部から斜め上方に向い風呂熱交換器の下部側へ入り込む斜面壁は給湯熱交換器の下端部から風呂熱交換器の下端部に向けて斜め上方側に形成された斜板部によって構成され、該斜板部の前記給湯熱交換器側の端部となる前記屈曲部には該屈曲部から斜め上方に向い前記給湯熱交換器の下部側へ入り込む斜面壁として機能する介設板部が連接され、前記斜板部の前記給湯熱交換器寄りの部位と前記介設板部とによって前記給湯熱交換器におけるパイロットバーナの上方部側の下端部を該パイロットバーナの熱から保護するため前記給湯熱交換器の前記パイロットバーナ側寄りの筒体の下端部を覆うように配設されていることを特徴とする請求項１記載の燃焼装置。
【請求項３】
給湯メインバーナと風呂メインバーナとが互いに間隔を介して配置され、該間隔に口火用のパイロットバーナが設けられており、該パイロットバーナに点火してそのパイロットバーナの炎によって前記給湯メインバーナと前記風呂メインバーナの少なくとも一方の炎口に着火してそのメインバーナ燃焼を行い、該メインバーナ燃焼の停止後も消火動作が行われるまでの間は前記パイロットバーナの燃焼は継続する燃焼装置であって、前記給湯メインバーナの上部側には該給湯メインバーナと間隔を介して給湯熱交換器が設けられ、前記風呂メインバーナの上部側には該風呂メインバーナと間隔を介して風呂熱交換器が設けられ、前記パイロットバーナの上部側には該パイロットバーナと間隔を介し、該パイロットバーナの燃焼ガスを前記給湯熱交換器側と風呂熱交換器側の両方にガイドして導くガイドカバーが前記パイロットバーナの上側を覆って設けられており、前記ガイドカバーの前記給湯熱交換器側の端部側は該給湯熱交換器の外周壁を形成する筒体の下側を通って給湯熱交換器内に入り込んでその入り込んだ位置から前記パイロットバーナ寄りの前記筒体の内壁面と間隔を保って対向しながら当該筒体の内壁面に沿って上方へ向けて伸長する壁面部位を備えており、この上方へ向けて伸長する壁面部位によって前記給湯熱交換器側に入り込んだ前記パイロットバーナの燃焼ガスが給湯熱交換器を加熱するのを予防抑制していることを特徴とする燃焼装置。
【請求項４】
ガイドカバーは給湯熱交換器に取り付けられて配置されていることを特徴とする請求項１又は請求項２又は請求項３記載の燃焼装置。
【発明の詳細な説明】
【技術分野】
【０００１】
本発明は、ガスの燃焼を行う口火用のパイロットバーナと、パイロットバーナにより着火する給湯メインバーナと風呂メインバーナとを備えた燃焼装置に関するものである。
【背景技術】
【０００２】
図５には、燃焼装置の一例が模式的なシステム図により示されている（例えば特許文献１、参照）。この燃焼装置は、例えば浴室に配置されるバランス型風呂釜であり、給湯メインバーナ１０と、該給湯メインバーナ１０により加熱される給湯熱交換器７とを有しており、給湯熱交換器７は、給湯メインバーナ１０の上側に、該給湯メインバーナ１０と間隔を介して配設されている。給湯熱交換器７は水を通す管路を有し、給湯熱交換器７には、この管路に水を導入する給水導入通路１９と、給湯熱交換器７の管路を通って加熱された水を給湯先に導く給湯通路１１とが接続されている。
【０００３】
給湯通路１１の先端側には、給湯栓９が設けられており、この例では、給湯栓９が切り替えレバー方式の栓で形成されている。この種の給湯栓９は、レバーの切り替えによって、給湯通路１１を通った湯を、カラン側の出湯管３０側とシャワー側通路３１のいずれかから選択的に出湯させるものであり、同図では、出湯管３０側から出湯されるように選択した状態が示されている。
【０００４】
前記給水導入通路１９には、水量調節機構２１が接続されており、水量調節機構２１には、水ガバナー１５、ダイヤフラムケース１３、水量調節室２０が設けられている。ダイヤフラムケース１３には、ダイヤフラム１４が設けられており、このダイヤフラム１４によって、ダイヤフラムケース１３内が、一次室１３ａと二次室１３ｂとに区分けされている。水量調節室２０には温度調節子２３が設けられており、温度調節子２３は、温度調節つまみ２２に接続されている。
【０００５】
また、水量調節機構２１には、水量調節機構２１に水を供給する給水通路８と、水量調節機構２１から水を導出するバイパス通路１６と、主水路１９と、排水通路２４とが接続されている。給水通路８にはフィルタ２５が介設されており、排水通路２４には水抜き栓２６が設けられている。
【０００６】
前記給湯メインバーナ１０には、ガス通路３２が接続されており、該ガス通路３２は、水圧自動ガス弁３３と、器具栓３４とを介し、ガス導入通路３５に接続されている。水自動ガス弁３３は、前記ダイヤフラム１４に連結して設けられ、器具栓３４は、器具栓つまみ４８に接続されている。ガス導入通路３５は、燃料ガスを燃焼装置に外部から導入するものであり、ガス導入通路３５から導入される燃料ガスが、器具栓３４、通水時のみ開弁となる水圧自動ガス弁３３を介してガス通路３２を通り、給湯メインバーナ１０に供給される。また、器具栓３４には、ガス通路３６，３７が接続されており、ガス導入通路３５から器具栓３４まで導入された燃料ガスが、ガス通路３６を通して口火用のパイロッバーナ３８に導入され、ガス通路３７を通して風呂メインバーナ（風呂の追い焚き用の追い焚きメインバーナ）３９に供給される構成と成している。
【０００７】
風呂メインバーナ３９の上部側には、風呂メインバーナ３９によって加熱される風呂熱交換器（追い焚き熱交換器）４０が風呂メインバーナ３９と間隔を介して設けられている。風呂熱交換器４０には、空焚き安全装置４６が設けられており、前記給湯熱交換器７の出側には給湯過熱防止装置４７が設けられている。
【０００８】
なお、図５の図中、符号５３は排気口、４は炎検出用のフレームロッド電極、４３はパイロットバーナ３８への点火用のイグナイタ電極、５０はサーミスタ、５１は水自弁スイッチ、５２は器具栓スイッチ、５４はガスの電磁弁、４９は能力切り替えつまみ、符号４５は過熱防止装置をそれぞれ示している。器具栓スイッチ５２は、マイクロスイッチにより構成されており、器具栓つまみ４８の「口火」、「給湯・シャワー」、「ふろ」の各位置を検出する。
【０００９】
また、図５はシステム構成図であり、追い焚きバーナ３９と前記給湯バーナ１０とは離れた位置に記載されているが、追い焚きバーナ３９と給湯バーナ１０とは、例えば図６の分解斜視図に示すように、実際には、互いに間隔を介して隣り合わせに配置されている。そして、追い焚きバーナ３９と給湯バーナ１０の間隔に、パイロットバーナ３８が設けられ、パイロットバーナ３８の口火を利用して追い焚きバーナ３９と給湯バーナ１０の少なくとも一方の炎口に着火し、メインバーナ燃焼を行うように構成されている。
【００１０】
図６において、パイロットバーナ３８は、風呂メインバーナ３９側に設けられた炎口１と給湯メインバーナ１０側に設けられた炎口２と、これらの炎口１，２の間に設けられた炎口３とを有している。炎口１は、風呂メインバーナ３９への火移りのために、炎口２は給湯バーナ１０への火移りを容易にさせるために設けている。炎口３はフレームロッド電極による炎検出用またはイグナイタ電極による点火用として設けている。
【００１１】
また、例えば図７、図８に示すように、給湯熱交換器７は、銅製の筒体５６と、水を通すための銅製の管路５７とを有しており、管路５７は、筒体５６の周りと内部とに設けられている。筒体５６の外周側に巻回されている管路５７は、給湯熱交換器７の筒体５６を水冷する機能を有する。また、給湯熱交換器７と間隔を介して風呂熱交換器４０が配設され（図８、参照）、風呂熱交換器４０は、ステンレス製のジャケット（筒体）５９を有し、ジャケット５９の内部に設けられた熱交換用の管路５９ａのみ銅製と成している。ジャケット５９には、管路６０が接続されている。なお、図７には、図の左側に給湯熱交換器７が配設され、図の右側に風呂熱交換器４０が配設されている例が示されており、図８には、図の右側に給湯熱交換器７が配設され、図の左側に風呂熱交換器４０が配設されている例が示されている。図７に示すように、図の左側に給湯熱交換器７を配設する場合には、図６に示したような風呂メインバーナ３９と給湯メインバーナ１０の配置位置およびパイロットバーナ３８の炎口１，２の配設位置が逆になる。
【００１２】
前記管路６０は、図８に示すように、燃焼装置の外部管路（風呂循環用通路）６１を介して浴槽６２に接続され、浴槽６２から導入される浴槽湯水を一方側の管路６０を介してジャケット５９内に導入し、前記熱交換用の管路を通した後に、外部管路６１と他方側の管路６０を介して浴槽６２に導出することにより、浴槽湯水の追い焚きが行われる。なお、図９には、図の左側に給湯熱交換器７が配設され、図の右側に風呂熱交換器４０が配設されている燃焼装置の、浴室への配設例（浴槽６２との接続例）が模式的な断面図により示されている。
【００１３】
これらの燃焼装置において、給湯栓９を開くと、図５に示すように、水は、給水通路８を通って水ガバナー１５を通り、ダイヤフラムケース１３の一次室１３ａへと流れ、水量調節子２３により分岐して、その一方は、通路１６，１８を通り、給湯通路１１側に導かれる。他方は、給水導入通路１９、給湯熱交換器７を通って給湯通路１１側に導かれ、給湯通路１１から出湯管３０（またはシャワー側通路３１）へ流れて出水される。
【００１４】
また、器具栓つまみ４８を押し下げると電磁弁５４が開き、器具栓つまみ４８を「口火」の位置に操作することにより、燃料ガスはガス導入通路３５を通って器具栓３４に入り、ガス通路３６を通ってパイロットバーナ３８に流れるので、その状態で、燃焼制御部（図示せず）の制御によって、イグナイタ電極４３によりパイロットバーナ３８への点火が行われる。
【００１５】
さらに、器具栓つまみ４８を「給湯・シャワー」の位置に合わせることにより、燃料ガスは、水圧自動ガス弁３３の配設位置まで流れる。そして、この状態で給湯栓９を開き、給水通路８を通して水が流れ始めると、この水がダイヤフラムケース１３の一次室１３ａから通路１６，１８を通り、水量調節子２３のバイパスオリフィス２３ａ通過後、ダイヤフラム二次室１３ｂに伝えられ、一次室１３ａ（高圧）との差圧がダイヤフラム１４の面積により荷重として働き、ダイヤフラム１４が二次室１３ｂ側へと移動する。
【００１６】
この結果、ダイヤフラム１４と連結された水圧自動ガス弁３３が開き、燃料ガスがガス通路３２を通って給湯メインバーナ１０に供給され、パイロットバーナ３８の口火から給湯メインバーナ１０に着火する。つまり、給湯メインバーナ１０は、前記給湯栓９が開かれることにより流れる（燃焼装置に導入される）水の量が予め定められた設定作動流量以上となったときに燃焼を開始する。そして、この給湯メインバーナ１０の燃焼によって、給湯熱交換器７を通る水が加熱され、出湯管３０（またはシャワー側通路３１）から出湯される。
【００１７】
また、図８、図９に示した外部管路６１の浴槽６２への接続部（上部循環口）よりも例えば１０ｃｍ以上高い位置まで湯または水を入れた状態で器具栓つまみ４８を「ふろ」の位置に合わせることにより、燃料ガスが通路３６を通って風呂メインバーナ３９に供給され、パイロットバーナ３８の口火から風呂メインバーナ３９に着火し、風呂熱交換器４０を循環して浴槽内の湯水の加熱が行われる。
【００１８】
なお、この種の燃焼装置においては、給湯メインバーナ１０や風呂メインバーナ３９の燃焼停止後も、消火動作が行われるまでの間、つまり、器具栓つまみ４８を「口火」の位置から「消火」の位置に戻すまでの間は、パイロットバーナ３８の燃焼は継続する。そのため、給湯メインバーナ１０の燃焼停止後に、給湯熱交換器７がパイロットバーナ３８の燃焼ガス（燃焼排気ガス）の熱によって加熱されてしまうので、給湯熱交換器７の管路５７や筒体５６において、パイロットバーナ３８の高温の（例えば１７００℃位の）燃焼ガスが直接的に当たる部分には、その部分を熱から保護するために、例えば図７に示すように、ステンレス製の防熱カバー（防熱板）１２が設けられている。
【先行技術文献】
【特許文献】
【００１９】
【特許文献１】特許第４１８１６７４号公報
【発明の概要】
【発明が解決しようとする課題】
【００２０】
しかしながら、器具栓つまみ４８を「口火」の位置から「消火」の位置に戻す間はパイロットバーナ３８の燃焼が継続するため、図８に示すように、パイロットバーナ３８の燃焼ガス（炎口１から出る燃焼ガスＧ１と炎口２から出る燃焼ガスＧ２と炎口３から出る燃焼ガスＧ３）のうち、風呂熱交換器４０へ直接導出される燃焼ガスＧ１および給湯熱交換器７側へ導出される燃焼ガスＧ２以外の燃焼ガスＧ３は、風呂熱交換器４０と給湯熱交換器７の間の炎口３の直上部分を通過する。このとき、高温の燃焼ガス熱量の一部は管路５７および筒体５６に伝えられる。そのため、給湯熱交換器７が、給湯メインバーナ１０による本来熱吸収する缶体内部からではなく、缶体の外部からパイロットバーナ３８の燃焼熱を受け、この熱と燃焼ガスＧ２とで継続的に加熱される。したがって、給湯栓９を、再度、時間をおいて開けて出湯したとき、直前に使用していた湯温以上の湯が排出され、いわゆる後沸きによって、利用者が火傷をすることがある等の問題があった。なお、図７で示した従来例のように、防熱板１２を設けたとしても、燃焼ガスＧ３は防熱板１２で覆われた部分以外の筒体５６または管路５７から熱吸収を受けることとなり、充分な後沸き抑制ができなかった。
【００２１】
また、燃焼ガスＧ１、Ｇ２および風呂メインバーナ３９の燃焼ガスと給湯メインバーナ１０の燃焼ガスとは、図７および図９の矢印Ａ、Ｂに示すように、排気通路６３を通って排気口５３から屋外に排出される。一方、燃焼ガスＧ３は、図８、図９に示す板７０に当たり、板７０の下面側に添うように流れて板７０の端部（図の手前側と奥側）に達した後、板７０の上側に流れて、図１０（ａ）、（ｂ）に示す器具（燃焼装置）上方の空間Ｃ部（燃焼装置の天板７１と給気通路７２の上面との段差により形成されている空間部）に溜まり、Ｃ寸法以上の排気ガスが溜まった後に給気通路７２を通って給気口７３より屋外に排出される。このため、Ｃ部には排気ガスの熱が溜まり（こもり）、この熱ごもりによって、天板７１が手で触ると火傷をするくらいの熱さになってしまう。そこで、この火傷を防止するために、天板７１を二重にしたり、Ｃ部にグラスウール等を設けて防熱する必要があった。
【００２２】
本発明は、前記従来の課題を解決するために成されたものであり、その目的は、給湯メインバーナに隣接したパイロットバーナの燃焼を給湯メインバーナの燃焼停止後も継続させる構成を有する燃焼装置において、そのパイロットバーナの燃焼ガスが給湯熱交換器側に回り込み、給湯熱交換器が加熱されることによって生じる後沸きや、パイロットバーナの燃焼ガスによる装置天板部（上板部）の加熱を抑制することができる燃焼装置を提供することにある。
【課題を解決するための手段】
【００２３】
本発明は上記目的を達成するために、次の構成をもって課題を解決する手段としている。すなわち、第１の発明は、給湯メインバーナと風呂メインバーナとが互いに間隔を介して配置され、該間隔に口火用のパイロットバーナが設けられており、該パイロットバーナに点火してそのパイロットバーナの炎によって前記給湯メインバーナと前記風呂メインバーナの少なくとも一方の炎口に着火してそのメインバーナ燃焼を行い、該メインバーナ燃焼の停止後も消火動作が行われるまでの間は前記パイロットバーナの燃焼は継続する燃焼装置であって、前記給湯メインバーナの上部側には該給湯メインバーナと間隔を介して給湯熱交換器が設けられ、前記風呂メインバーナの上部側には該風呂メインバーナと間隔を介して風呂熱交換器が設けられ、前記パイロットバーナは前記給湯メインバーナ側に設けられた炎口と、前記風呂メインバーナ側に設けられた炎口と、前記給湯メインバーナ側の炎口と前記風呂メインバーナ側の炎口との間に設けられた中央側の炎口とを有しており、前記パイロットバーナの上部側には該パイロットバーナと間隔を介し、該パイロットバーナの上部側を覆うガイドカバーが設けられ、該ガイドカバーは前記中央側の炎口と前記給湯メインバーナ側の炎口との間となる位置に下側が凸となる屈曲部を有して、該屈曲部の両側には該屈曲部から斜め上方に向い前記給湯熱交換器の下部側へ入り込む斜面壁と前記屈曲部から斜め上方に向い前記風呂熱交換器の下部側へ入り込む斜面壁とが形成され、前記パイロットバーナの前記給湯メインバーナ側の炎口から出る燃焼ガスは前記ガイドカバーの前記給湯熱交換器の下部側へ入り込む斜面壁にガイドされて前記給湯熱交換器の下部側へ導入され、前記パイロットバーナの前記風呂メインバーナ側の炎口と中央側の炎口とから出る燃焼ガスは前記風呂熱交換器の下部側へ入り込む斜面壁にガイドされて前記風呂熱交換器の下部側へ導入され、以って前記ガイドカバーによってパイロットバーナの中央側の高温の燃焼ガスが前記給湯熱交換器側に流れることを防いで前記風呂熱交換器の下端部側に向けて斜め上方側にガイドして導き、風呂熱交換器の排気部より前記パイロットバーナの前記風呂メインバーナ側の炎口と中央側の炎口とから出る燃焼ガスが共に排出されることにより前記パイロットバーナの中央側の炎口から出る燃焼ガスの熱によって前記給湯熱交換器の外周壁を形成する筒体の加熱が防止されている構成をもって課題を解決する手段としている。また、第２の発明は、前記第１の発明の構成に加え、前記ガイドカバーは、その屈曲部が給湯熱交換器の下端部に位置されて、該屈曲部から斜め上方に向い風呂熱交換器の下部側へ入り込む斜面壁は給湯熱交換器の下端部から風呂熱交換器の下端部に向けて斜め上方側に形成された斜板部によって構成され、該斜板部の前記給湯熱交換器側の端部となる前記屈曲部には該屈曲部から斜め上方に向い前記給湯熱交換器の下部側へ入り込む斜面壁として機能する介設板部が連接され、前記斜板部の前記給湯熱交換器寄りの部位と前記介設板部とによって前記給湯熱交換器におけるパイロットバーナの上方部側の下端部を該パイロットバーナの熱から保護するため前記給湯熱交換器の前記パイロットバーナ側寄りの筒体の下端部を覆うように配設されていることを特徴とする。
【００２４】
また、第３の発明は、給湯メインバーナと風呂メインバーナとが互いに間隔を介して配置され、該間隔に口火用のパイロットバーナが設けられており、該パイロットバーナに点火してそのパイロットバーナの炎によって前記給湯メインバーナと前記風呂メインバーナの少なくとも一方の炎口に着火してそのメインバーナ燃焼を行い、該メインバーナ燃焼の停止後も消火動作が行われるまでの間は前記パイロットバーナの燃焼は継続する燃焼装置であって、前記給湯メインバーナの上部側には該給湯メインバーナと間隔を介して給湯熱交換器が設けられ、前記風呂メインバーナの上部側には該風呂メインバーナと間隔を介して風呂熱交換器が設けられ、前記パイロットバーナの上部側には該パイロットバーナと間隔を介し、該パイロットバーナの燃焼ガスを前記給湯熱交換器側と風呂熱交換器側の両方にガイドして導くガイドカバーが前記パイロットバーナの上側を覆って設けられており、前記ガイドカバーの前記給湯熱交換器側の端部側は該給湯熱交換器の外周壁を形成する筒体の下側を通って給湯熱交換器内に入り込んでその入り込んだ位置から前記パイロットバーナ寄りの前記筒体の内壁面と間隔を保って対向しながら当該筒体の内壁面に沿って上方へ向けて伸長する壁面部位を備えており、この上方へ向けて伸長する壁面部位によって前記給湯熱交換器側に入り込んだ前記パイロットバーナの燃焼ガスが給湯熱交換器を加熱するのを予防抑制していることを特徴とする。さらに、第４の発明は前記第１又は第２又は第３の発明の構成を備えた上で、前記ガイドカバーは給湯熱交換器に取り付けられて配置されていることを特徴とする。
【発明の効果】
【００２５】
本発明は、給湯メインバーナと風呂メインバーナとの間隔に口火用のパイロットバーナが設けられ、パイロットバーナからメインバーナへの着火によるメインバーナの燃焼を行い、該メインバーナ燃焼の停止後も消火動作が行われるまでの間は前記パイロットバーナの燃焼は継続するが、パイロットバーナの上部側には該パイロットバーナと間隔を介してガイドカバーが設けられており、このガイドカバーによって、パイロットバーナの給湯メインバーナへの着火に必要なガス以外の燃焼ガスが、給湯メインバーナの上側に配置された給湯熱交換器側に流れることを防ぎ、風呂メインバーナの上側に配置された風呂熱交換器の下端部側に向けて斜め上方側にガイドして導かれ、風呂熱交換器の排気部より排出される。そのため、従来のように、パイロットバーナの燃焼ガスの持つ熱量が給湯熱交換器の缶体の外部から流れ込んで、その熱によって給湯熱交換器が加熱されることを防ぐことができ、給湯熱交換器の筒体の温度上昇を低く抑えることにより、給湯熱交換器の後沸きを抑制できる。
【００２６】
また、本発明は、前記のように、ガイドカバーによって、パイロットバーナの高温の燃焼ガスが風呂熱交換器の下端部側に向けて斜め上方側にガイドされて導かれ、風呂熱交換器の排気部より燃焼ガスが排出されることにより、パイロットバーナの高温の燃焼ガスが風呂熱交換器と給湯熱交換器との間を直上した後、燃焼装置の天板（上板）付近に溜まることを抑制できるので、燃焼ガスが燃焼装置の上板付近に溜まることによって天板が加熱されることを抑制できる。したがって、燃焼装置の天板を二重にしたり、上板近傍に断熱材を設けたりする必要が無く、その分だけ燃焼装置の構成を簡略化でき、コストダウンを図ることができる。
【００２７】
また、本発明において、ガイドカバーを、給湯熱交換器の下端部から風呂熱交換器の下端部に向けて斜め上方側に形成された斜板部を設けて形成し、該斜板部の前記給湯熱交換器側の端部を、介設板部を介し、前記給湯熱交換器におけるパイロットバーナの上方部側の下端部を該パイロットバーナの熱から保護するため前記給湯熱交換器の下端部を覆うように配設することにより、簡単な構成で、パイロットバーナの燃焼ガスの風呂メインバーナ側へのガイドができ、パイロットバーナの高温の燃焼ガスの熱によって給湯熱交換器の下端が部分的に加熱されることを防ぐことができる。
【図面の簡単な説明】
【００２８】
【図１】本発明に係る燃焼装置の一実施例におけるバーナ周辺構成の例をパイロットバーナからの燃焼ガスの流れと共に示す模式的な構成図である。
【図２】本発明に係る燃焼装置に設けられるガイドカバーの例を示す側面図（ａ）、（ａ）’と斜視図（ｂ）、（ｂ）’である。
【図３】燃焼装置に設けられている給湯熱交換器に図２のガイドカバーを取り付けた状態を示す模式的な斜視図である。
【図４】実施例の燃焼装置に設けられているガイドカバーの配置構成を説明するための模式的な断面説明図である。
【図５】燃焼装置のシステム構成例を示す説明図である。
【図６】燃焼装置に設けられているバーナ装置の構成例を示す分解斜視図である。
【図７】従来の燃焼装置に設けられている給湯熱交換器と風呂熱交換器の構成例を示す模式的な斜視図である。
【図８】燃焼装置の浴槽への接続構成例と、従来の燃焼装置におけるパイロットバーナの燃焼ガスの流れを説明するための模式図である。
【図９】燃焼装置の浴槽への接続構成例を示す模式的な説明図である。
【図１０】従来の燃焼装置において、天板近傍の燃焼ガスが溜まる領域（Ｃ部）を説明するための模式的な説明図である。
【発明を実施するための形態】
【００２９】
以下、本発明の実施の形態を図面に基づき説明する。なお、以下の実施例の説明において、従来例と同一名称部分には同一符号を付し、その重複説明は省略または簡略化する。
【実施例】
【００３０】
本実施例の燃焼装置は、図５に示した燃焼装置と同様のシステム構成を有し、従来の燃焼装置とほぼ同様に形成されているが、本実施例では、図７に示した防熱カバー１２を給湯熱交換器７に設けずに、図１に示すように、給湯熱交換器７に、特徴的なステンレス製のガイドカバー１７を取り付けている。このガイドカバー１７は、パイロットバーナ３８の燃焼ガスが給湯熱交換器７側に流れることを防いで、同図の矢印Ｇに示すように、風呂熱交換器４０の下端部側に向けて斜め上方側にガイドして導き、風呂熱交換器４０の排気部より燃焼ガスを排出することにより、パイロットバーナ３８の高温の燃焼ガスが給湯熱交換器７側に回り込んだその熱により給湯熱交換器７が加熱されることを防ぐものである。
【００３１】
なお、図２（ａ）には、ガイドカバー１７の側面図が、（ｂ）にはその斜視図がそれぞれ示されているおり、図３（ａ）には、そのガイドカバー１７を取り付けた状態の給湯熱交換器７が斜視図により示されている。また、図４（ａ）には、ガイドカバー１７の配設構成が、給湯熱交換器４０および風呂熱交換器７と共に模式的な断面図により示されている。これらの図に示すように、ガイドカバー１７は巻水管防熱部２９を有し、図４に示すように、給湯熱交換器７の筒体５６の内側に設けられている。また、ガイドカバー１７は、給湯熱交換器７の下端部から風呂熱交換器４０の下端部に向けて斜め上方側に形成された斜板部２７を備え、該斜板部２７の給湯熱交換器７側の端部は、介設板部２８を介し、給湯熱交換器７におけるパイロットバーナ３８の上方部側の下端部を該パイロットバーナ３８の熱から保護するため、給湯熱交換器７の下端部を覆うように配設されている。
【００３２】
このガイドカバー１７を設けることにより、本実施例では、図１の矢印Ｇに示すように、パイロットバーナ３８の炎口１，３の炎の燃焼により生じる燃焼ガスが風呂熱交換器４０側に導かれて排気口５３から排気されるので、パイロットバーナ３８の燃焼ガスが給湯熱交換器７側に流れ込むことを防ぐことができ、また、給湯熱交換器７と風呂熱交換器４０との間に入り込むことも防ぐことができる。そのため、前記燃焼ガスが給湯熱交換器７の筒体５６の外壁面側や内壁面側に回り込んだ熱による、管路５７内の湯の加熱を抑制することにより後沸きの温度を低くできるし、燃焼装置の上板（天板）付近に高温の燃焼ガスが溜まることを抑制できるので、天板が加熱されることを抑制でき、その分だけ燃焼装置の構成を簡略化でき、コストダウンを図ることができる。
【００３３】
なお、本発明は、前記実施例に限定されるものでなく、適宜設定されるものである。例えば、ガイドカバー１７の形状は特に限定されるものでなく、パイロットバーナ３８の高温の燃焼ガスが給湯熱交換器７側に流れることを防いで、風呂熱交換器４０の下端部側に向けて斜め上方側にガイドして導くことにより、パイロットバーナ３８の燃焼ガスの熱によって給湯熱交換器７が加熱されることを防ぐことができるように、適宜設定されるものである。例えば、図の左側に給湯熱交換器７が配設され、図の右側に風呂熱交換器４０が配設されている燃焼装置の場合、ガイドカバー１７は、図２（ａ）’、（ｂ）’に示される構成としてもよく、この場合、ガイドカバー１７の配設構成は、図３（ｂ）、図４（ｂ）に示すような構成となる。また、ガイドカバー１７は、２つ以上の部材を組み合わせて形成してもよい。
【００３４】
また、本発明の燃焼装置は、給湯メインバーナ１０と風呂メインバーナ３９とが互いに間隔を介して配置され、該間隔に口火用のパイロットバーナ３８が設けられ、そのパイロットバーナ３８の高温の燃焼ガスが給湯熱交換器７側に流れることを防いで、風呂熱交換器４０の下端部側に向けて斜め上方側にガイドして導くガイドカバー１７を設けて形成されていれば、各バーナ１０，３９の詳細な構成や、燃焼装置のシステム構成の詳細は特に限定されるものでなく、適宜設定されるものである。
【産業上の利用可能性】
【００３５】
本発明は、パイロットバーナの燃焼ガスによる給湯熱交換器の後沸きを抑制できるので、使い勝手が良好な燃焼装置として利用できる。
【符号の説明】
【００３６】
７                      給湯熱交換器
１０                    給湯メインバーナ
１７                    ガイドカバー
２７                    斜板部
２８                    介設板部
２９                    巻水管防熱部
３８                    パイロットバーナ
３９                    風呂メインバーナ
４０                    風呂熱交換器
【図１】
0005752934.tif 000002
【図２】
0005752934.tif 000003
【図３】
0005752934.tif 000004
【図４】
0005752934.tif 000005
【図５】
0005752934.tif 000006
【図６】
0005752934.tif 000007
【図７】
0005752934.tif 000008
【図８】
0005752934.tif 000009
【図９】
0005752934.tif 000010
【図１０】
0005752934.tif 000011